(57)【要約】【課題】タッチパネルと感圧センサとを備え、消費電力を低減できる操作検出装置を提供する。【解決手段】操作板に配置されたタッチセンサ２１と、操作板に加えられる圧力を検出する感圧センサとを備えた操作検出装置であって、タッチセンサ２１に接続されて操作面へのユーザのタッチ操作を検出するタッチ検出部１０３と、感圧センサに接続されて操作板への押圧操作を検出する押圧検出部１１１と、感圧センサおよび押圧検出部１１１への電力供給モードを、感圧センサおよび押圧検出部に押圧操作を検出する際の通常動作をさせるための電力供給を行う通常モードと、感圧センサおよび押圧検出部１１１への電力供給を通常モードよりも制限する電力制限モードとを切り替えるモード切り替え部１０２とを備え、モード切り替え部１０２は、タッチ検出部１０３がタッチ操作を検出したことを条件の１つとして、電力制限モードから通常モードへ切り替える。【選択図】図４
2020091725.tif 000002
【特許請求の範囲】
【請求項１】
ユーザに操作される操作面（１１）を備えた操作板（１０）と、
前記操作板に配置されたタッチセンサ（２１）と、
前記操作板に加えられる圧力を検出する感圧センサ（５０）と、を備えた操作検出装置であって、
前記タッチセンサに接続されて、前記操作面へのユーザのタッチ操作を検出するタッチ検出部（１０３）と、
前記感圧センサに接続されて前記操作板への押圧操作を検出する押圧検出部（１１１）と、
前記感圧センサおよび前記押圧検出部への電力供給モードを、前記感圧センサおよび前記押圧検出部に前記押圧操作を検出する際の通常動作をさせるための電力供給を行う通常モードと、前記感圧センサおよび前記押圧検出部への電力供給を前記通常モードよりも制限する電力制限モードとを切り替えるモード切り替え部（１０２）と、を備え、
前記モード切り替え部は、前記タッチ検出部が前記タッチ操作を検出したことを条件の１つとして、前記電力制限モードから前記通常モードへ切り替える、操作検出装置。
【請求項２】
前記操作検出装置は、電池（１２０）で動作し、
前記モード切り替え部は、前記タッチ検出部が前記タッチ操作を検出したことに加えて、前記電池の残量が前記通常モードを許容する通常モード閾値（ＴＨ２）以上であることを条件として、前記通常モードとする、請求項１に記載の操作検出装置。
【請求項３】
ユーザに操作される操作面（１１）を備えた操作板（１０）と、
前記操作板に配置されたタッチセンサ（２１）と、
前記操作板に加えられる圧力を検出する感圧センサ（５０）と、を備え、
電池（１２０）で作動する操作検出装置であって、
前記タッチセンサに接続されて、前記操作面へのユーザのタッチ操作を検出するタッチ検出部（１０３）と、
前記感圧センサに接続されて前記操作板への押圧操作を検出する押圧検出部（１１１）と、
前記感圧センサおよび前記押圧検出部への電力供給モードを、前記感圧センサおよび前記押圧検出部に前記押圧操作を検出する際の通常動作をさせるための電力供給を行う通常モードと、前記感圧センサおよび前記押圧検出部への電力供給を前記通常モードよりも制限する電力制限モードとを切り替えるモード切り替え部（１０２）と、を備え、
前記モード切り替え部は、前記電池の残量が前記通常モードを許容する通常モード閾値（ＴＨ２）以上であることを条件の１つとして、前記電力制限モードから前記通常モードへ切り替える、操作検出装置。
【請求項４】
前記タッチ操作が検出された後、前記押圧操作が検出された場合に、操作確定とする確定判断部（１０４）を備え、
前記電力制限モードとして、前記感圧センサによる押圧操作の検出機能を全部停止する停止モードがあり、
前記確定判断部は、前記電力供給モードが前記停止モードになっている場合には、前記押圧操作がなくても、前記タッチ操作がされたことに基づいて操作確定とする、請求項１〜３のいずれか１項に記載の操作検出装置。
【請求項５】
前記タッチセンサおよび前記感圧センサを複数備え、
前記タッチ操作が検出された後、前記押圧操作が検出された場合に、操作確定とする確定判断部（１０４）を備え、
前記電力制限モードとして、複数の前記感圧センサのうちの一部を動作させる省電力モードがあり、かつ、前記省電力モードでは、動作中の１つの前記感圧センサが複数の前記タッチセンサに対応づけられており、
前記確定判断部は、前記電力供給モードが前記省電力モードになっている場合には、前記タッチ操作されたことを検出した前記タッチセンサに対応づけられた前記感圧センサが前記押圧操作を検出したことに基づいて操作確定とする、請求項１〜３のいずれか１項に記載の操作検出装置。
【請求項６】
前記モード切り替え部は、前記タッチ検出部が検出した前記タッチ操作に基づいて、同じ前記タッチセンサの連続操作がされたと判断した場合には、前記停止モードとし、
前記確定判断部は、前記タッチ操作が継続して行われている場合、前記タッチ操作により操作確定とする、請求項４に記載の操作検出装置。
【請求項７】
前記タッチ検出部としての機能を備えるタッチ用ＩＣ（１００）と、前記押圧検出部としての機能を備える押圧用ＩＣ（１１０）とを備え、
前記モード切り替え部は、前記停止モードのときは、前記押圧用ＩＣをスリープ状態とする、請求項４または６に記載の操作検出装置。
【請求項８】
前記タッチ検出部としての機能を備えるタッチ用ＩＣと、前記押圧検出部としての機能を備え、かつ、前記省電力モードにおいて動作する前記感圧センサに対応した第１押圧用ＩＣと、前記押圧検出部としての機能を備え、かつ、前記省電力モードでは停止する前記感圧センサに対応した第２押圧用ＩＣとを備え、
前記モード切り替え部は、前記省電力モードのときは、前記第２押圧用ＩＣをスリープ状態とする、請求項５に記載の操作検出装置。
【発明の詳細な説明】
【技術分野】
【０００１】
操作検出装置に関し、特に、消費電力を低減する技術に関する。
【背景技術】
【０００２】
ユーザにより操作されたことを検出する操作検出装置として、タッチパネルと感圧センサとを備えた装置が知られている。特許文献１には、静電容量式のタッチパネルの四隅に感圧センサを備えた構成が開示されている。タッチパネルと感圧センサとを備えることで、タッチパネルによりユーザの選択操作を検出し、感圧センサにより、決定操作のためにユーザが行う押圧操作を検出できる。
【先行技術文献】
【特許文献】
【０００３】
【特許文献１】特許第５４９３７３９号公報
【発明の概要】
【発明が解決しようとする課題】
【０００４】
タッチセンサと感圧センサの２種類のセンサを備えるため、センサが１種類の場合よりも消費電力が増大することが懸念される。
【０００５】
本開示は、この事情に基づいて成されたものであり、その目的とするところは、タッチパネルと感圧センサとを備え、消費電力を低減できる操作検出装置を提供することにある。
【課題を解決するための手段】
【０００６】
上記目的は独立請求項に記載の特徴の組み合わせにより達成され、また、下位請求項は更なる有利な具体例を規定する。特許請求の範囲に記載した括弧内の符号は、一つの態様として後述する実施形態に記載の具体的手段との対応関係を示すものであって、開示した技術的範囲を限定するものではない。
【０００７】
上記目的を達成するための１つの開示は、
ユーザに操作される操作面（１１）を備えた操作板（１０）と、
操作板に配置されたタッチセンサ（２１）と、
操作板に加えられる圧力を検出する感圧センサ（５０）と、を備えた操作検出装置であって、
タッチセンサに接続されて、操作面へのユーザのタッチ操作を検出するタッチ検出部（１０３）と、
感圧センサに接続されて操作板への押圧操作を検出する押圧検出部（１１１）と、
感圧センサおよび押圧検出部への電力供給モードを、感圧センサおよび押圧検出部に押圧操作を検出する際の通常動作をさせるための電力供給を行う通常モードと、感圧センサおよび押圧検出部への電力供給を通常モードよりも制限する電力制限モードとを切り替えるモード切り替え部（１０２）と、を備え、
モード切り替え部は、タッチ検出部がタッチ操作を検出したことを条件の１つとして、電力制限モードから通常モードへ切り替える。
【０００８】
タッチセンサがタッチ操作を検出したことを条件の１つとして電力供給モードを通常モードとすることから、タッチ操作を検出していないときにまで通常モードとするよりも、消費電力を低減できる。
【０００９】
上記目的を達成するための他の１つの開示は、
ユーザに操作される操作面（１１）を備えた操作板（１０）と、
操作板に配置されたタッチセンサ（２１）と、
操作板に加えられる圧力を検出する感圧センサ（５０）と、を備え、
電池（１２０）で作動する操作検出装置であって、
タッチセンサに接続されて、操作面へのユーザのタッチ操作を検出するタッチ検出部（１０３）と、
感圧センサに接続されて操作板への押圧操作を検出する押圧検出部（１１１）と、
感圧センサおよび押圧検出部への電力供給モードを、感圧センサおよび押圧検出部に押圧操作を検出する際の通常動作をさせるための電力供給を行う通常モードと、感圧センサおよび押圧検出部への電力供給を通常モードよりも制限する電力制限モードとを切り替えるモード切り替え部（１０２）と、を備え、
モード切り替え部は、電池の残量が通常モードを許容する通常モード閾値（ＴＨ２）以上であることを条件の１つとして、電力制限モードから通常モードへ切り替える。
【００１０】
電池の残量が通常モード閾値以上であることを条件の１つとして通常モードとする。換言すれば、電池の残量が通常モード閾値よりも少ない場合には電力制限モードとする。よって、電池の残量によらず通常モードとする場合に比較して消費電力を低減できる。
【図面の簡単な説明】
【００１１】
【図１】実施形態の操作検出装置１の操作面１１を示す図である。
【図２】図１のII−II線断面図である。
【図３】図１のIII-III線断面図である。
【図４】制御部９０の構成を示す図である。
【図５】各電力供給モードで動作する感圧センサ５０を示す図である。
【図６】制御部９０が電池残量確認周期ごとに実行する処理を示す図である。
【図７】制御部９０が通電中、常時実行する処理を示す図である。
【発明を実施するための形態】
【００１２】
以下、実施形態を図面に基づいて説明する。図１は、実施形態の操作検出装置１の操作面１１を示す図である。操作検出装置１は、たとえば、車室内のダッシュボードに設置されて、エアコンなどの車載機器をユーザが操作するための装置として用いられる。
【００１３】
操作面１１には、ユーザが機能を選択するための図形として、「Ａ」、「Ｂ」、「＋」、「−」が示されている。本実施形態では、具体的な機能は省略している。実製品では、「Ａ」、「Ｂ」に代えて、具体的な機能を示す文字や記号などが示される。また、操作面１１に示される機能を示す文字等の数や大きさは任意に設定可能である。「＋」、「−」は、ユーザが選択できる機能に、量的な変化を指示する機能を含ませることができることを示したものである。量的な変化を指示する機能には、たとえば、エアコンの設定温度を連続的に増加させ、あるいは、減少させることを指示する機能を含ませることができる。量的な変化を指示する機能に対応する記号等を操作面１１に示すかどうかは、任意に設定可能である。
【００１４】
「Ａ」、「Ｂ」、「＋」、「−」の周囲にある破線は、図２、図３に示すタッチセンサ２１が背面に存在する部分である。文字「Ａ」の背面にはタッチセンサ２１ａが存在し、文字「Ｂ」の背面にはタッチセンサ２１ｂが存在し、記号「＋」の背面にはタッチセンサ２１ｃが存在し、記号「−」の背面にはタッチセンサ２１ｄが存在する。これらのタッチセンサ２１ａ、２１ｂ、２１ｃ、２１ｄを区別しないときはタッチセンサ２１と記載する。各タッチセンサ２１は、機能毎に設けられる。
【００１５】
操作面１１において背面にタッチセンサ２１が設けられている部分をユーザが指などでタッチすると、タッチされた部分に対応する機能が選択される。図１など、複数のタッチセンサ２１の形状および大きさを同じにしている。しかし、具体的な機能に応じて、タッチセンサ２１の形状と大きさは、適宜、設定可能である。
【００１６】
図２に図１のII−II線断面図を示し、図３に図１のIII-III線断面図を示す。操作面１１は操作板１０の表面である。操作板１０は、樹脂あるいはガラスすなわち誘電材料製である。また、少なくとも、機能を選択するための文字が表示されている部分は、光が透過可能になっている。
【００１７】
操作板１０は平板状であり、操作板１０の裏面には樹脂製かつ透明の基板２０が固定されている。この基板２０にタッチセンサ２１が配置されている。タッチセンサ２１は電極であり、タッチセンサ２１はタッチセンサ２１に指などが接近することによる静電容量の変化によりタッチ操作を検出する静電容量式のセンサである。また、タッチセンサ２１を構成する電極は透明である。この電極としては、ＩＴＯやＰＥＤＯＴを用いることができる。
【００１８】
操作板１０は、弾性体である支持ゴム体３０を介して上側支持板４０に支持されている。そのため、ユーザにより押圧操作されると、操作板１０は、その厚さ方向に変位する。
【００１９】
感圧センサ５０は、感圧用電極５１を備える。感圧用電極５１は、上側支持板４０上において、空間を隔てて各タッチセンサ２１に対向して配置されている。感圧用電極５１の平面形状は、本実施形態では、タッチセンサ２１と同じ、すなわち矩形形状である。感圧用電極５１にも透明電極が用いられ、また、上側支持板４０も、少なくとも、操作面１１において文字が表示されている部分は、光が透過可能になっている。
【００２０】
操作面１１が押し込み操作されると、タッチセンサ２１と感圧用電極５１の間隔が変化し、タッチセンサ２１と感圧用電極５１との間の静電容量が変化する。感圧センサ５０は、この静電容量の変化により押圧を検出する静電容量式のセンサである。
【００２１】
上側支持板４０の下側には、下側支持板６０が配置されている。下側支持板６０と上側支持板４０は連結部材７０により連結されている。なお、上側支持板４０、下側支持板６０の厚さ方向が上下方向であり、下側支持板６０から上側支持板４０へ向かう方向が上方向である。
【００２２】
下側支持板６０には、各タッチセンサ２１に対向する位置に発光素子であるＬＥＤ８０が配置されている。ＬＥＤ８０はタッチセンサ２１がタッチ操作を検出した場合に、タッチ操作を検出したことを示すために、点灯状態が変化する。たとえば、タッチ操作がされたタッチセンサ２１に対応したＬＥＤ８０を消灯から点灯に変化させる。あるいは、タッチ操作を検出する前から全部のＬＥＤ８０を低めの輝度で点灯させておき、タッチ操作を検出した場合、タッチ操作を検出したタッチセンサ２１に対応するＬＥＤ８０の輝度をそれまでよりも高くしてもよい。
【００２３】
図２に示すように、操作検出装置１は制御部９０を備える。各タッチセンサ２１および各感圧用電極５１は制御部９０と接続されており、制御部９０が、各タッチセンサ２１および各感圧センサ５０における静電容量を検出する。
【００２４】
図４に制御部９０の構成を示す。本実施形態において、制御部９０は、タッチ用ＩＣ１００と押圧用ＩＣ１１０を備える。これらタッチ用ＩＣ１００および押圧用ＩＣ１１０には、電池１２０から電力が供給される。電池１２０は、二次電池であり、たとえば、車両に搭載された種々の電子部品へ電力を供給するために車両に搭載されている電池を用いることができる。
【００２５】
タッチ用ＩＣ１００および押圧用ＩＣ１１０は、マイクロコントローラにより実現できる。マイクロコントローラは、少なくとも１つのプロセッサコア、ＲＯＭ、ＲＡＭ、Ｉ／Ｏなどを備えた構成とすることができる。
【００２６】
ＲＯＭには、汎用的なマイクロコントローラを、タッチ用ＩＣ１００、あるいは、押圧用ＩＣ１１０として機能させるためのプログラムが格納されている。プロセッサコアが、ＲＡＭの一時記憶機能を利用しつつ、ＲＯＭに記憶されたプログラムを実行する。これにより、タッチ用ＩＣ１００は、電池残量検出部１０１、モード切り替え部１０２、タッチ検出部１０３、確定判断部１０４として機能し、押圧用ＩＣ１１０は押圧検出部１１１として機能する。これらの機能が実行されることは、プログラムに対応する方法が実行されることを意味する。
【００２７】
なお、タッチ用ＩＣ１００および押圧用ＩＣ１１０は、専用のハードウェア論理回路により実現されてもよい。また、タッチ用ＩＣ１００および押圧用ＩＣ１１０は、コンピュータプログラムを実行するプロセッサと一つ以上のハードウェア論理回路との組み合わせにより構成された一つ以上の専用コンピュータにより実現されてもよい。ハードウェア論理回路は、たとえば、ＡＳＩＣ（Application-Specific Integrated Circuit）、あるいは、ＦＰＧＡ（Field Programmable Gate Array）である。
【００２８】
電池残量検出部１０１は、電池１２０の残量を逐次検出する。電池１２０の残量は種々の手法で検出することができる。たとえば、電池電圧を測定し、測定した電圧をもとに電池残量を検出する方式、電池に対して流入、流出する電流を測定して電池残量を検出する方式、それらの組み合わせなどにより、電池１２０の残量を検出する。また、車両には、この操作検出装置が搭載されているか否かに関わらず、電池残量計ＩＣが搭載されていることも多い。電池残量計ＩＣが搭載されている場合、電池残量検出部１０１は、電池残量計ＩＣから電池１２０の残量を取得すればよい。
【００２９】
モード切り替え部１０２は、感圧センサ５０、および、押圧用ＩＣ１１０への電力供給モードを切り替える。電力供給モードには、通常モード、電力制限モードがある。通常モードは、感圧センサ５０および押圧用ＩＣ１１０に、押圧操作を検出する際の通常動作をさせるための電力供給を行うモードである。電力制限モードは、通常モードよりも電力が制限されたモードである。電力制限モードでは、電力が制限されることにより、通常モードよりも押圧操作の検出機能が低下する。この電力制限モードは、具体的には、省電力モードと停止モードに分けられる。
【００３０】
停止モードは、感圧センサ５０による押圧操作の検出機能を全て停止するモードである。停止モードでは、感圧センサ５０へ通電を行わず、かつ、押圧用ＩＣ１１０をスリープ状態にする。
【００３１】
一方、省電力モードは、一部の感圧センサ５０による押圧操作の検出機能を停止するが、残りの一部の感圧センサ５０による押圧操作の検出機能は停止しないモードである。省電力モードを、図５を用いて具体的に説明する。
【００３２】
図５には、９個の感圧センサ５０ａ〜５０ｉのオンオフ状態をモード別に示している。図２には、４つの感圧センサ５０ａ、５０ｂ、５０ｃ、５０ｄと４つの感圧用電極５１ａ、５１ｂ、５１ｃ、５１ｄしか示していないが、図２は図示を一部省略しているからである。本実施形態では、９つの感圧センサ５０ａ〜５０ｉを備えているものとする。
【００３３】
図５には、通常モード、省電力モード、停止モードの３つのモードが示されており、省電力モードとして、ブロック単位動作、両端動作、中央動作の３つの動作が示されている。図５において、着色されている感圧センサ５０が動作していることを示している。
【００３４】
通常モードでは全部の感圧センサ５０が動作する。動作するとは、静電容量を検出するために感圧センサ５０に通電されることを意味する。停止モードは、通常モードとは反対に、全部の感圧センサ５０を停止する。
【００３５】
省電力モードのブロック単位動作では、複数の感圧センサ５０を１つのブロックとし、１つのブロック内で１つの感圧センサ５０のみを動作させる。図５に示す例では、３つの感圧センサ５０を１つのブロックとし、各ブロックの中央にある感圧センサ５０を動作させている。省電力モードの両端動作では、一列に配列されている９つの感圧センサ５０の両端のみを動作させる。省電力モードの中央動作では、配列の中央にある感圧センサ５０のみを動作させる。
【００３６】
省電力モードでは、一部の感圧センサ５０は動作していない。しかし、どの感圧センサ５０も、同じ操作板１０に対する押圧操作を検出するためのものである。したがって、省電力モードにおいて、動作していない感圧センサ５０の上部が押圧操作された場合、動作している感圧センサ５０が検出する静電容量も変化する。そのため、省電力モードでも、すべての感圧センサ５０が検出すべき押圧操作を検出することができる。
【００３７】
モード切り替え部１０２は、これの複数の電力供給モードを、タッチ操作を検出したか否か、および、電池１２０の残量に基づいて切り替える。どのような条件で、どの電力供給モードにするかは、図７を用いて後述する。
【００３８】
タッチ検出部１０３は、タッチセンサ２１に生じる静電容量を検出し、その静電容量がタッチ閾値を超えた場合に、タッチセンサ２１へのタッチ操作があったことを検出する。そして、タッチ操作があったタッチセンサ２１に対応するＬＥＤ８０の点灯状態を、タッチ操作を検出したことを示す点灯状態とする。
【００３９】
確定判断部１０４は、タッチ検出部１０３によりタッチ操作が検出された後、押圧検出部１１１により押圧操作が検出された場合に、操作確定とする。ただし、操作確定とする条件は他にも設定されている。停止モードでは、すべての感圧センサ５０の動作が停止しているからである。停止モードである場合、確定判断部１０４は、押圧操作がなくても、タッチ操作がされたことに基づいて操作確定とする。たとえば、停止モードになっている場合には、タッチ操作されたことにより操作確定とすることができる。
【００４０】
また、同じタッチセンサ２１に対するタッチ操作が連続操作されたと判断した場合にも、タッチ操作のみで操作確定とする。連続操作は、たとえば、温度設定における「＋」「−」の連続操作などである。同じタッチセンサ２１に対するタッチ操作が連続判定時間以上、継続したら連続操作と判断する。連続判定時間は実験などに基づき事前に設定される。また、タッチ操作が継続する以外にも、タッチ操作が断続して繰り返され、かつ、タッチ操作と次のタッチ操作との間の時間間隔が、連続操作時間内である場合に、連続操作と判定するようにしてもよい。
【００４１】
押圧検出部１１１は、感圧用電極５１に生じる静電容量を検出し、その静電容量が押圧閾値を超えた場合に、タッチ操作があった部分への押圧操作があったことを検出する。省電力モードでは、一部の感圧センサ５０には通電されない。そのため、省電力モードでは、１つの感圧センサ５０が、複数のタッチセンサ２１に対応づけられている。詳しくは、省電力モードのブロック単位動作では感圧センサ５０ｂがタッチセンサ２１ａ〜２１ｃに対応付けられ感圧センサ５０ｅがタッチセンサ２１ｄ〜２１ｆに対応付けられ、感圧センサ５０ｈがタッチセンサ２１ｇ〜２１ｉに対応付けられている。省電力モードの両端動作では感圧センサ５０ａがタッチセンサ２１ａ〜２１ｅに対応付けられ、感圧センサ５０ｉがタッチセンサ２１ｆ〜２１ｉに対応付けられている。省電力モードの中央動作では、感圧センサ５０ｅが全部のタッチセンサ２１ａ〜２１ｉに対応付けられている。
【００４２】
押圧閾値は、予め設定された値である。この押圧閾値は感圧センサ５０ａ〜５０ｉごとに別々の値であってもよいし、相互に同じ値であってもよい。また、省電力モードにおいては、動作している感圧センサ５０に対応付けられているタッチセンサ２１ごとに異なる感圧閾値を用いてもよい。
【００４３】
［制御部９０が実行する処理の流れ］
図６、図７に制御部９０が実行する処理の流れを示している。制御部９０は、電池残量確認周期ごとに図６に示す処理を実行する。電池残量確認周期は、電池１２０の残量を確認する必要がある周期であり、図７を全部実行するよりも長い周期に設定される。たとえば、電池残量確認周期は数分以上に設定される。図７に示す処理は、通電中、常時実行する。まず、図６に示す処理を説明する。
【００４４】
図６に示す処理において、ステップ（以下、ステップを省略）Ｓ１は電池残量検出部１０１が実行し、Ｓ２〜Ｓ５はモード切り替え部１０２が実行する。Ｓ１では、電池１２０の残量を検出する。Ｓ２では、Ｓ１で検出した電池残量を、省電力モード閾値ＴＨ１、通常モード閾値ＴＨ２と比較する。なお、ＴＨ１＜ＴＨ２である。
【００４５】
Ｓ１で検出した電池残量が省電力モード閾値ＴＨ１よりも少なければＳ３に進み、電力供給モードを停止モードに決定する。Ｓ１で検出した電池残量が省電力モード閾値ＴＨ１以上であって通常モード閾値ＴＨ２よりも少なければＳ４に進み、電力供給モードを省電力モードに決定する。Ｓ１で検出した電池残量が通常モードを許容する閾値である通常モード閾値ＴＨ２以上であればＳ５に進み、電力供給モードを通常モードに決定する。
【００４６】
次に図７を説明する。図７において、Ｓ１１、Ｓ１４〜Ｓ１７、Ｓ２０はモード切り替え部１０２が実行し、Ｓ１２はタッチ検出部１０３が実行し、Ｓ１８、Ｓ１９は押圧検出部１１１が実行し、Ｓ２１は確定判断部１０４が実行する。
【００４７】
Ｓ１１では、電力供給モードを停止モードにする。続くＳ１２では、タッチ操作を検出したか否かを判断する。Ｓ１２の判断結果がＮＯであればＳ１２を繰り返す。Ｓ１２の判断結果がＹＥＳであればＳ１３に進む。Ｓ１３では、タッチ操作を検出したタッチセンサ２１に対応するＬＥＤ８０を、タッチ操作を検出したことを示す点灯状態にする。これにより、振動が生じて手元がずれてしまう恐れがある車両内でも、決定操作である押圧操作前に、ユーザは、自分が決定操作をしようとしている機能を、正しく選択しているかを確認できる。
【００４８】
続くＳ１４では、Ｓ１２で検出したと判断したタッチ操作が連続操作であるか否かを判断する。連続操作であるか否かの判断は、前述のように、タッチ操作の継続時間あるいは繰り返し間隔などにより判断する。
【００４９】
Ｓ１４の判断結果がＮＯであればＳ１５に進む。Ｓ１５では、図６の処理を実行して事前に決定してあった電力供給モードがどのモードであるかを判断する。省電力モードであればＳ１６に進み、省電力モードにおいて動作する一部の感圧センサ５０のみを動作させる。なお、図５には、３種類の省電力モードを示した。これら３種類の省電力モードのうち、１つの省電力モードのみを、このＳ１６では実行することができる。また、省電力モードを実行する電池残量の範囲を３段階に分け、電池残量に応じて、３つの省電力モードのいずれを実行するかを決定してもよい。この場合、具体的には、Ｓ１で検出した電池残量が３段階のうち最も電池残量が多い範囲内にあればブロック単位動作とする。一方、Ｓ１で検出した電池残量が３段階の中間であれば両端動作とし、Ｓ１で検出した電池残量が３段階のうちもっとも電池残量が少ない範囲内にあれば中央動作とする。
【００５０】
Ｓ１５の判断において通常モードであると判断した場合にはＳ１７に進み、全部の感圧センサ５０を作動させる。Ｓ１６またはＳ１７を実行した場合にはＳ１８に進む。Ｓ１８では、対象の感圧センサ５０の静電容量を検出する。対象の感圧センサ５０とは、Ｓ１２でタッチ操作を検出したタッチセンサ２１に対応付けられた感圧センサ５０である。Ｓ１９では、Ｓ１８で検出した静電容量と押圧閾値を比較する。押圧閾値は予め設定されており、前述したように、感圧センサ５０によらない一定値でも、感圧センサ５０ごとに定められた値でもよい。また、省電力モードでは、動作している感圧センサ５０とタッチセンサ２１の組み合わせごとに押圧閾値が設定されていてもよい。Ｓ１８で検出した静電容量が押圧閾値以上であれば押圧操作を検出したとする。
【００５１】
Ｓ１９の判断結果がＮＯであればＳ２０に進む。Ｓ２０では、押圧検出期間が終了したか否かを判断する。ユーザがある機能を選択するために、操作面１１をタッチ操作した後、確定操作をするつもりの場合であっても、即座に押圧操作をするとは限らない。そこで、図７の処理では、タッチ操作を検出した後、押圧操作の有無を判断するために、ある一定期間、押圧操作の有無を判断する。この趣旨で設けられている期間が押圧検出期間であり、押圧検出期間の起算時点はタッチ操作を検出した時点である。
【００５２】
Ｓ２０の判断結果がＮＯであればＳ１８に戻る。一方、Ｓ２０の判断結果がＹＥＳであれば操作確定を行うことなく、図７に示す処理を終了する。図７の処理を終了した場合には、再度、Ｓ１１以下を実行する。
【００５３】
Ｓ１９の判断結果がＹＥＳすなわち押圧操作を検出した場合には、Ｓ２１に進む。Ｓ２１では、操作確定とする。また、Ｓ１４の判断結果がＹＥＳすなわち連続操作であると判断した場合にもＳ２１に進む。したがって、連続操作であると判断した場合には、押圧操作を検出しなくても操作確定とする。また、Ｓ１５において電力供給モードが停止モードであると判断した場合にもＳ２１に進む。したがって、停止モードではタッチ操作のみで操作確定とする。
【００５４】
［実施形態のまとめ］
本実施形態の操作検出装置１は、タッチセンサ２１がタッチ操作を検出したことを条件の１つ（Ｓ１２：ＹＥＳ）として、電力供給モードを通常モードとする。よって、タッチ操作を検出していないときにまで通常モードとするよりも、消費電力を低減できる。
【００５５】
また、本実施形態の操作検出装置１は、電池１２０の残量が通常モード閾値ＴＨ２以上であることを条件の１つとして、電力供給モードを通常モードとする（Ｓ１５）。換言すれば、電池１２０の残量が通常モード閾値ＴＨ２よりも少ない場合には、電力供給モードを、電力制限モードである省電力モードあるいは停止モードにする。よって、電池１２０の残量によらず通常モードとする場合に比較して消費電力を低減できる。
【００５６】
そして、電力供給モードが停止モードになっている場合には、タッチ操作がされたことにより操作確定とする。したがって、停止モードのときにも、ユーザは操作を確定させることができる。
【００５７】
また、省電力モードでは、１つの感圧センサ５０が複数のタッチセンサ２１に対応付けられており、タッチ操作されたことを検出したタッチセンサ２１に対応づけられた感圧センサ５０が押圧操作を検出した場合に操作確定としている。したがって、省電力モードのときにも、ユーザは操作を確定させることができる。
【００５８】
また、連続操作であると判断した場合には（Ｓ１４：ＹＥＳ）、タッチ操作のみにより操作確定とする。これにより、連続操作のときの操作性が向上する。また、停止モードとすることもできるので、消費電力を低減できる。また、連続操作、すなわち２度目以上の操作の場合、ユーザは選択場所を間違っていることも少ないと考えられるので、連続操作の場合に押圧操作を省略して操作確定としても、ユーザの意図に反した操作を確定してしまう可能性も低減できる。
【００５９】
また、本実施形態の操作検出装置１は、タッチ用ＩＣ１００と押圧用ＩＣ１１０とを備えており、停止モードのときには、押圧用ＩＣ１１０のスリープ状態にする。これにより、消費電力を一層低減できる。
【００６０】
以上、実施形態を説明したが、開示した技術は上述の実施形態に限定されるものではなく、次の変形例も開示した範囲に含まれ、さらに、下記以外にも要旨を逸脱しない範囲内で種々変更して実施できる。なお、以下の説明において、構成の一部のみを説明している場合、構成の他の部分については先に説明した実施形態を適用できる。
【００６１】
＜変形例１＞
押圧用ＩＣ１１０を、第１押圧用ＩＣと第２押圧用ＩＣの２種類のＩＣに分けてもよい。第１押圧用ＩＣは、省電力モードにおいて動作する感圧センサ５０に対応した押圧用ＩＣであり、第２押圧用ＩＣは省電力モードでは停止する感圧センサ５０に対応した押圧用ＩＣである。そして、モード切り替え部１０２は、省電力モードのときは第２押圧用ＩＣをスリープ状態とする。このようにすることで、停止モードのときのみではなく、省電力モードでも、一部のＩＣをスリープにすることができる。よって、一層の消費電力低減が可能になる。
【００６２】
＜変形例２＞
実施形態では、タッチ用ＩＣ１００と押圧用ＩＣ１１０を別々に備えていたが、これらの機能を備えた１つのＩＣを備えていてもよい。
【００６３】
＜変形例３＞
実施形態では、電力制限モードとして省電力モードと停止モードを備えていたが、省電力モードと停止モードのいずれか一方のみを備えていてもよい。
【００６４】
＜変形例４＞
実施形態では、タッチ操作を検出するまでは停止モードとしていたが、電池１２０の残量のみで電力供給モードを切り替えてもよい。反対に、電池１２０の残量による電力供給モードの切り替えは行わず、タッチ操作を検出したことによる電力供給モードの切り替えのみを行ってもよい。
【００６５】
＜変形例５＞
実施形態では、停止モードである場合、タッチ操作を検出したことで、即座に操作確定としていた。しかし、停止モードである場合、タッチ操作がある一定時間継続したことを条件に操作確定としてもよい。
【００６６】
＜変形例６＞
実施形態の操作検出装置１は、タッチセンサ２１にそれぞれ対向した複数の感圧用電極５１を備えていた。しかし、感圧用電極５１は、モード切り替えが可能であれば、タッチセンサ２１よりも少ない数であってもよい。
【００６７】
＜変形例７＞
実施形態の操作検出装置１では、タッチセンサ２１を感圧センサ５０の電極としても用いていた。しかし、タッチセンサ２１とは別に、感圧センサ５０用の電極を備えてもよい。
【符号の説明】
【００６８】
１：操作検出装置      １０：操作板      １１：操作面      ２０：基板      ２１：タッチセンサ      ３０：支持ゴム体      ４０：上側支持板      ５０：感圧センサ      ５１：感圧用電極      ６０：下側支持板      ７０：連結部材      ８０：ＬＥＤ      ９０：制御部      １００：タッチ用ＩＣ      １０１：電池残量検出部      １０２：モード切り替え部      １０３：タッチ検出部      １０４：確定判断部      １１０：押圧用ＩＣ      １１１：押圧検出部      １２０：電池
【図１】
2020091725.tif 000003
【図２】
2020091725.tif 000004
【図３】
2020091725.tif 000005
【図４】
2020091725.tif 000006
【図５】
2020091725.tif 000007
【図６】
2020091725.tif 000008
【図７】
2020091725.tif 000009